(57)【要約】【課題】  この発明は、ボールの外皮側とボール側との接着に必要な接着剤を、水反応型接着剤を用いることにより、外皮側をボール側にそのまま、あるいは水分を介して接着することにより、球技用ボールの製造工程における接着作業の簡素化、並びに、作業環境の改善が図れる、球技用ボールにおける外皮側とボール側との接着方法を開発・提供するものである。【解決手段】  球技用ボールにおいて、複数枚の外皮側の表皮材（Ａ）をボール側の中空球状チューブ（Ｂ）に貼着するに際して、表皮材（Ａ）の裏面に、水反応型接着剤（１）を設け、これら表皮材（Ａ）を、そのまま、中空球状チューブ（Ｂ）に貼着するか、あるいは、水溶液（２）を、中空球状チューブ（Ｂ）の表面に付与して、該中空球状チューブ（Ｂ）の表面に、それぞれ表皮材（Ａ）を貼着する接着方法から構成されるものである。【選択図】  図３
2006102320.tif 000002
【特許請求の範囲】
【請求項１】
球技用ボールにおいて、複数枚の外皮側の表皮材（Ａ）をボール側の中空球状チューブ（Ｂ）に貼着するに際して、表皮材（Ａ）の裏面に、水反応型接着剤（１）を設け、これら表皮材（Ａ）を、中空球状チューブ（Ｂ）にそれぞれ貼着することを特徴とする球技用ボールにおける外皮側とボール側との接着方法。
【請求項２】
球技用ボールにおいて、複数枚の外皮側の表皮材（Ａ）をボール側の中空球状チューブ（Ｂ）に貼着するに際して、表皮材（Ａ）の裏面に、水反応型接着剤（１）を設けておき、水溶液（２）を付与手段により、表面に水溶液（２）を与えた中空球状チューブ（Ｂ）に、それぞれ表皮材（Ａ）を貼着することを特徴とする球技用ボールにおける外皮側とボール側との接着方法。
【請求項３】
水溶液（２）の付与手段が、塗布、あるいは、噴霧であることを特徴とする請求項２記載の球技用ボールにおける外皮側とボール側との接着方法。
【発明の詳細な説明】
【技術分野】
【０００１】
この発明は、球技用ボールにおける外皮側とボール側との接着方法に関する。
【背景技術】
【０００２】
従来、球技用ボールは、外皮側には、ゴム製、合成樹脂製の分割形状の表皮材ピースと、ボール側には、中空球状チューブ（カーカスという）を設けており、複数枚の各表皮材ピースをこの中空球状チューブの全面に、水溶性または溶剤性の接着剤を介して接着して、ボールを完成させている。
【０００３】
そして、このボール製造には、その都度、外皮側ピース、カーカスに接着剤を塗布する作業を行っており、一個のボールに対して、数十枚の外皮側ピースに、一々接着剤を塗布するものであり、その塗布作業が極めて煩雑であり、また、それら多数のボールを乾燥させる場所や設備を揃えたりするとなると広い場所が必要があった。（例えば、特許文献１のように）
【０００４】
また、特に、水溶性、水性の接着剤を用いる場合には、外皮側とボール側との間や、特に、外皮側とその外部を被覆する表皮膜との間に少しでも水分が残ると、この残存水滴の箇所が外部から汚れて見えたり、また、残存水滴の箇所にカビが発生したりして、商品としての見栄えが悪くなるという欠点があり、また、その箇所に接着不良が生じ、商品として不良品となる等の欠点があり、また、溶剤性の接着剤を用いる場合には、作業員の健康上及び身体の安全性が問題であった。
【０００５】
そして、接着剤として、固形型樹脂接着剤を使用して、触媒としての硬化剤を使用するにしても、長い間放置しておくと、製造時には固形型樹脂接着剤が劣化しており、接着能力が落ちてしまい、製造作業がうまくいかないという欠点がある。
【特許文献１】特願２００１−３２９８２７号
【発明の開示】
【発明が解決しようとする課題】
【０００６】
そこで、この発明は、ボールの外皮側とボール側との接着に必要な接着剤を、水反応型接着剤を用いることにより、外皮側をボール側にそのまま、あるいは水分を介して接着することにより、球技用ボールの製造工程における接着作業の簡素化、並びに、作業環境の改善が図れる、球技用ボールにおける外皮側とボール側との接着方法を開発・提供するものである。
【課題を解決するための手段】
【０００７】
この発明による球技用ボールにおける外皮側とボール側との接着方法は、球技用ボールにおいて、複数枚の外皮側の表皮材（Ａ）をボール側の中空球状チューブ（Ｂ）に貼着するに際して、表皮材（Ａ）の裏面に、水反応型接着剤（１）を設け、これら表皮材（Ａ）を、そのまま、中空球状チューブ（Ｂ）に貼着するか、あるいは、水溶液（２）を、中空球状チューブ（Ｂ）の表面に付与して、該中空球状チューブ（Ｂ）の表面に、それぞれ表皮材（Ａ）を貼着する接着方法から構成されるものである。
【発明の効果】
【０００８】
この発明によると、球技用ボールの接着にあたり、外皮側の表皮材（Ａ）と、ボール側の中空球状チューブ（Ｂ）において、あらかじめ、表皮材（Ａ）の裏面に、水反応型接着剤（１）を設けておき、そのまま中空球状チューブ（Ｂ）に表皮材（Ａ）を貼着するか、あるいは、水溶液（２）を付与して中空球状チューブ（Ｂ）に、それぞれ表皮材（Ａ）を貼着すために、作業工程はいたって簡素化できる。
【０００９】
そして、この発明によると、従来のように、溶剤、水溶剤を使用しないため、作業員の健康上および身体の安全が図れ、さらに、製品の均一性が確保できる等の効果を奏するものである。
【発明を実施するための最良の形態】
【００１０】
以下、この発明による好適な実施の形態について、図１、図２、図３に基づいて詳細に説明すると、球技用ボールにおいて、複数枚の外皮側の表皮材（Ａ）をボール側の中空球状チューブ（Ｂ）に貼着するに際して、表皮材（Ａ）の裏面に、水反応型接着剤（１）を設け、これら表皮材（Ａ）を、中空球状チューブ（Ｂ）にそれぞれ貼着することを特徴とする球技用ボールにおける外皮側とボール側との接着方法からなるものである。
【００１１】
次に、この発明の他の実施例を図４、図５、図６に基づいて説明すると、球技用ボールにおいて、複数枚の外皮側の表皮材（Ａ）をボール側の中空球状チューブ（Ｂ）に貼着するに際して、表皮材（Ａ）の裏面に、水反応型接着剤（１）を設けておき、水溶液（２）等の水分を付与手段により、中空球状チューブ（Ｂ）の表面に水分を与え、それぞれ表皮材（Ａ）を、中空球状チューブ（Ｂ）の表面に貼着することを特徴とする球技用ボールにおける外皮側とボール側との接着方法からなるものである。
【００１２】
そして、水反応型接着剤（１）とは、水分と反応して固体に変化する接着剤であり、水反応型接着剤（１）は、空気中の水分や、被接着側の中空球状チューブ（Ｂ）の表面の目に見えない水分に反応したり、また、水溶液（２）に反応するものであり、例えば、瞬間接着剤と呼ばれる、わずかな空気中の水分等として反応してすばやく固まる接着剤がある。
【００１３】
従って、この水反応型接着剤（１）を設けた表皮材（Ａ）は、図７に示すように、極めて堅牢な耐水性素材の袋（Ｃ）に密封・収納しておく必要がある。
【００１４】
また、さらに、水溶液（２）の付与手段とは、塗布したり、あるいは、噴霧したりすることであり、水溶液（２）とは、具体的には水のことである。
【産業上の利用可能性】
【００１５】
この発明による球技用ボールにおける外皮側とボール側との接着方法の技術を確立し、それに基づいて球技用ボールを製造・販売することにより、産業上の利用可能性があるものである。
【図面の簡単な説明】
【００１６】
【図１】この発明に使用する表皮材（Ａ）の一実施例を示す斜視図である。
【図２】この発明に使用する中空球状チューブ（Ｂ）の一実施例を示す一部欠截断面図である。
【図３】この発明に使用する表皮材（Ａ）と中空球状チューブ（Ｂ）との接着状態を示す一部欠截断面図である。
【図４】この発明に使用する表皮材（Ａ）の一実施例を示す斜視図である。
【図５】この発明に使用する中空球状チューブ（Ｂ）の一実施例を示す一部欠截断面図である。
【図６】この発明に使用する表皮材（Ａ）と中空球状チューブ（Ｂ）との接着状態を示す一部欠截断面図である。
【図７】この発明に使用する表皮材（Ａ）を耐水性素材の袋（Ｃ）に入れた状態の一部欠截斜視図である。
【符号の説明】
【００１７】
１  水反応型接着剤
２  水溶液
Ａ  外皮側の表皮材
Ｂ  中空球状チューブ
Ｃ  耐水性素材の袋
【図１】
2006102320.tif 000003
【図２】
2006102320.tif 000004
【図３】
2006102320.tif 000005
【図４】
2006102320.tif 000006
【図５】
2006102320.tif 000007
【図６】
2006102320.tif 000008
【図７】
2006102320.tif 000009